(57)【要約】【課題】  複数の記憶装置を搭載した機器に対する操作性を向上させる。【解決手段】  デジタルカメラをパーソナルコンピュータに接続すると、画像管理用プログラムは、デジタルカメラに搭載された第１，第２記憶装置を単一の仮想ドライブとして、その内容を１つのウインドウ５０内に表示する。仮想ドライブの画像ファイルに対してファイル操作がされると、その操作の指示は、第１，第２記憶装置の指示に変換されてからデジタルカメラに送られることで実行される。【選択図】        図５
2005346496.tif 000002
【特許請求の範囲】
【請求項１】
ファイル操作のためのユーザインタフェース手段に接続された記憶装置を認識させて表示させるとともに、ユーザインタフェース手段からの記憶装置に対する指示に基づき記憶装置を制御する記憶装置の制御方法において、
同一の機器に設けられた複数の記憶装置を単一の仮想記憶装置としてユーザインタフェース手段に表示させるとともに、ユーザインタフェース手段からの仮想記憶装置に対する指示を、仮想記憶装置を構成する記憶装置への指示に変換して実行させることを特徴とする記憶装置の制御方法。
【請求項２】
仮想記憶装置の内容を表示する表示画面領域を、仮想記憶装置を構成する各記憶装置ごとの表示域に区分し、区分された表示域に対応する各記憶装置の内容を表示することを特徴とする請求項１記載の記憶装置の制御方法。
【請求項３】
同一の機器に複数の記憶装置が設けられているか否かを判断する判断手段と、この判断手段の判断結果に基づいて同一の機器に複数の記憶装置が設けられている場合には、それら各記憶装置を単一の仮想記憶装置として、ファイル操作のためのユーザインタフェース手段に表示させるとともに、ユーザインタフェース手段からの仮想記憶装置に対する指示を対応する記憶装置への指示に変換して実行させる変換手段として、コンピュータを機能させることを特徴とする制御プログラム。
【発明の詳細な説明】
【技術分野】
【０００１】
本発明は、記憶装置の制御方法及び制御プログラムに関するものである。
【背景技術】
【０００２】
近年では、外部記憶装置をパーソナルコンピュータに簡単に接続して利用できる。外部記憶装置としては、メモリカードが装着されるスロットを備えたカードリーダや、ハードディスク等の他に、内蔵された画像記録用の内蔵メモリや装着されたメモリカードを外部記憶装置として認識させることができるデジタルカメラ等がある。
【０００３】
デジタルカメラをパーソナルコンピュータに接続した場合には、パーソナルコンピュータからの操作で内蔵メモリ，メモリカードに記録されている画像データ等のファイルを読み出して表示したり、削除、名前変更を行うなどの各種ファイル操作を行うことができる。
【０００４】
上記のカードリーダやデジタルカメラでは複数のスロットを備えたものがある。また、デジタルカメラでは、内蔵メモリとメモリスロットとの両方を備えたものもある。このようなカードリーダやデジタルカメラをパーソナルコンピュータに接続した場合には、複数の外部記憶装置として認識される。
【０００５】
また、ネットワークでリモート接続された複数の外部記憶装置を、コンピュータから単一の外部記憶装置として認識させる制御方法が特許文献１によって知られている。
【０００６】
【特許文献１】特開平９−１５２９４４号公報
【発明の開示】
【発明が解決しようとする課題】
【０００７】
ところで、複数のメモリスロットを備えたカードリーダや、複数のメモリスロットあるいは内蔵メモリとメモリスロットとを備えたデジタルカメラをパーソナルコンピュータに接続すると、上記のように複数の外部記憶装置として認識される。このため、操作者は、ファイル操作の対象とするファイルがいずれの外部記憶装置、すなわちいずれのメモリスロットに装着されたメモリカードであるか、あるいは内蔵メモリとメモリスロットとのいずれかであるかを確認した上で、ファイル操作を行わなければならず不便であった。
【０００８】
本発明は、上記問題点を考慮してなされたもので、複数のメモリスロットや内蔵メモリとメモリスロットに対する操作を簡単にすることができる記憶装置の制御方法及び制御プログラムを提供するものである。
【課題を解決するための手段】
【０００９】
上記目的を達成するために、請求項１記載の記憶装置の制御方法では、同一の機器に設けられた複数の記憶装置を単一の仮想記憶装置としてユーザインタフェース手段に表示させるとともに、ユーザインタフェース手段からの仮想記憶装置に対する指示を、仮想記憶装置を構成する記憶装置への指示に変換して実行させるものである。
【００１０】
請求項２記載の記憶装置の制御方法では、仮想記憶装置の内容を表示する表示画面領域を、仮想記憶装置を構成する各記憶装置ごとの表示域に区分し、区分された表示域に対応する各記憶装置の内容を表示するものである。
【００１１】
請求項３記載の制御プログラムでは、同一の機器に複数の記憶装置が設けられているか否かを判断する判断手段と、この判断手段の判断結果に基づいて同一の機器に複数の記録装置が設けられている場合には、それら各記憶装置を単一の仮想記憶装置として、ファイル操作のためのユーザインタフェース手段に表示させるとともに、ユーザインタフェース手段からの仮想記憶装置に対する指示を対応する記憶装置への指示に変換して実行させる変換手段として、コンピュータを機能させるものである。
【発明の効果】
【００１２】
本発明によれば、同一の機器に設けられた複数の記憶装置を単一の仮想記憶装置としてユーザインタフェース手段に表示させ、ユーザインタフェース手段からの仮想記憶装置に対する指示を、それを構成する記憶装置への指示に変換して実行させるようにしたから、操作者が複数の記憶装置を１個の記憶装置として利用できるので操作性が向上する。
【発明を実施するための最良の形態】
【００１３】
図１において、本発明を実施したパーソナルコンピュータ（以下、ＰＣという）１０は、一般的なものであり、モニタ１１，キーボード１２，マウス１３を備えている。ＰＣ１０は、ユーザインタフェースとしてグラフィカルユーザインタフェース（ＧＵＩ）を採用しており、モニタ１１にはウィンドウやアイコンなどの画像が表示され、キーボード１２、マウス１２の操作によって各種指示・操作を行うことができる。
【００１４】
外部機器としてのデジタルカメラ１４は、ケーブル１５、例えばＵＳＢ（Universal Serial Bus）ケーブルを介してＰＣ１０に接続可能にされている。デジタルカメラ１４をＰＣ１０に接続すると、ＰＣ１０のＯＳプログラムによってデジタルカメラ１４の記憶装置が外部ドライブとして認識され、ＰＣ１０の操作でデジタルカメラ１４の記憶装置に対するファイル操作が可能になる。この例におけるデジタルカメラ１４には、２台の記憶装置１７，１８（図２参照）が搭載されており、それぞれがＯＳプログラムによって外部ドライブとして認識される。
【００１５】
ＰＣ１０には、画像ファイルの表示（読出し）や、画像ファイルのコピー、移動、削除等の各種ファイル操作を行うためのアプリケーションプログラム（以下、画像管理用プログラムという）が組み込まれている。この画像管理用プログラムには、本発明に独特な制御プログラムが組み込まれており、この制御プログラムによって、同一の外部機器にＰＣ１０から操作可能な記憶装置が複数搭載されている場合には、それらの各記憶装置を仮想的な単一の仮想記憶装置（以下、仮想ドライブという）として表示し、この仮想ドライブに対してファイル操作の指示を受けるようになっている。したがって、画像管理用プログラムでは、デジタルカメラ１４の２台の記憶装置は１個の仮想ドライブとして表示され、操作者はその仮想ドライブに対してファイル操作を行う。
【００１６】
なお、この例では、外部機器としてデジタルカメラを接続する場合について説明するが、外部機器としては、メモリカードが装着されるカードリーダ等の他の機器であってもかまわない。
【００１７】
図２に示すように、ＰＣ１０は、ＣＰＵ２０を備えており、このＣＰＵ２０によって統括的に制御される。ＣＰＵ２０を含むＰＣ１０の各部は、バス２１を介して接続されており、相互に各種のコマンド，データの授受が可能になっている。
【００１８】
ＲＡＭ２２には、ＯＳプログラムや各種アプリケーションプログラムがハードディスク２３からロードされ、これをＣＰＵ２０が実行する。ハードディスク２３には、ＯＳ，各種アプリケーションプログラムが記録されているとともに、画像や文章等のファイルの記録が可能になっている。また、画像管理用プログラムを含むアプリケーションプログラムは、ＲＡＭ２２にロードされてＣＰＵ２０で実行される。
【００１９】
操作部２４は、キーボード１２，マウス１３から構成されており、この操作部２４からの指示に応答してＣＰＵ２０が各部を制御する。表示部２５は、モニタ１１及びこれを駆動する回路等から構成され、ＣＰＵ２０の制御の下でモニタ１１にウインドウや、ファイル，ディレクトリに相当するアイコン等を表示する。通信インタフェース（Ｉ／Ｆ）２６には、ケーブル１５を介してデジタルカメラ１４が接続される。
【００２０】
デジタルカメラ１４は、バス３０を介して接続されたＣＰＵ３１，撮影部３２，信号処理部３３，操作部３４，ＬＣＤ３５，通信インタフェース（Ｉ／Ｆ）３６，第１及び第２記憶装置１７，１８等から構成される。ＣＰＵ３１は、操作部３４からの指示、及び通信インタフェース３６を介してＰＣ１０から与えられる指示に応答し、ＲＯＭ３７に予め書き込まれたプログラムに基づき各部を制御する。ＲＡＭ３８は、撮影シーケンスなどを実行する際に必要なデータを一時的に記憶するワークメモリとして利用される。
【００２１】
撮影部３２は、撮影レンズ，ＣＣＤイメージセンサ等から構成されており、撮影レンズを通して被写体画像をＣＣＤイメージセンサで撮影し、その被写体画像を画像データに変換して出力する。信号処理部３３は、撮影部３２から出力される画像データに対して、ホワイトバランス補正、γ補正処理，Ａ／Ｄ変換処理などの各種信号処理を施す。
【００２２】
操作部３４は、デジタルカメラ１４の電源の切り替えを行う電源スイッチやレリーズボタン各種の設定を行う操作ボタン等から構成される。ＬＣＤ３５には、撮影部３２で撮影中のいわゆるスルー画像や撮影済の画像、各種設定メニュー画面等が表示される。
【００２３】
第１，第２記憶装置１７，１８は、例えばメモリスロットにメモリカードを装着したものであり、メモリカードを交換することができる。各記憶装置１７，１８には、レリーズボタンの応答に応答して撮影部３２で撮影された静止画の画像データが画像ファイルとして記録される。この例では、各記憶装置１７，１８のどちらに画像ファイルを記録するかを操作者が予め決定しておき、その決定した側の記憶装置に画像ファイルが記録される。
【００２４】
上記の各記憶装置１７，１８に用いられるメモリカードは、種々のタイプのメディアのものを用いることができる。また、第１，第２記憶装置１７，１８に使用されるメディアの種類が互いに異なってもよい。さらに、各記憶装置１７，１８は、メモリスロットにメモリカードを装着するタイプの他に、デジタルカメラに予め内蔵された内蔵メモリや、ハードディク等であってもよい。
【００２５】
通信インタフェース３６は、ケーブル１５を介してＰＣ１０側の通信インタフェース２６と接続される。この接続により、ＰＣ１０とデジタルカメラ１４との間で、各種コマンド，データの通信が可能になる。
【００２６】
画像管理用プログラムの実行時におけるＰＣ１０の機能ブロックを図３に示す。判断手段４１は、ＰＣ１０に接続されている同一の外部機器に搭載され、外部ドライブと認識されている記憶装置の個数を判断し、その判断結果を変換手段４２に送る。外部ドライブが同一の外部機器に搭載されているか否かは、例えば各外部ドライブに対応させてＯＳプログラムが生成・保持しているデバイスノードを参照することにより判断することができる。
【００２７】
変換手段４２は、判断手段４１が同一の外部機器に搭載されている複数の記憶装置が外部ドライブとして認識されていると判断した場合には、それらの外部ドライブをまとめて単一の仮想ドライブとし、その仮想ドライブ及びその内容をユーザインタフェース手段４３に表示させる。また、ユーザインタフェース手段４３の操作により、その仮想ドライブに対してファイル操作が行われた場合には、そのファイル操作を仮想ドライブを構成する各記憶装置に対するファイル操作の指示に変換し、その指示を外部機器に送り実行させる。
【００２８】
ユーザインタフェース手段４３は、キーボード１２，マウス１３等からなる操作部２４と、モニタ１１等からなる表示部２５とを含み、モニタ１１上に仮想ドライブやファイルのアイコン等を表示し、そのアイコン等に対するキーボード１２，マウス１３を用いた操作者からのファイル操作等の指示を受け取り、その指示を変換手段に与える。これにより、操作者は、同一の外部機器に搭載された複数の記憶装置をあたかもＰＣ１０に１個の外部ドライブが接続されているかのように認識し取り扱うことができる。
【００２９】
したがって、この例のようにデジタルカメラ１４を外部機器として接続した場合には、各記憶装置１７，１８が１個の仮想ドライブとしてモニタ１１上に表示され、操作部２１の操作により仮想ドライブに対して操作を行うことで、各記憶装置１７，１８に対してのファイル操作が行われる。
【００３０】
図４は、デジタルカメラ１４が接続されたときのＰＣ１０での記憶装置の認識状態を模式的に示したものである。ＰＣ１０のＯＳプログラムは、第１記憶装置１７，第２記憶装置１８を、互いに独立した異なる外部ドライブＤ１，Ｄ２として認識し、操作部２１の操作で仮想ドライブＶＤに対してファイル操作が行われた場合には、制御プログラムによって、その仮想ドライブＶＤに対する指示が外部ドライブＤ１，Ｄ２の指示に変換され、ＯＳプログラムを介してデジタルカメラ１４に与えられる。
【００３１】
なお、この実施形態では、ファイル操作を行うためのアプリケーションプログラムに本発明の制御プログラムを組み込んでいるが、制御プログラムをＯＳプログラムの一部として組み込んでもよい。
【００３２】
図５は、画像管理用プログラムによるモニタ１１上での表示状態の一例を示すものである。画像管理用プログラムが起動すると、そのプログラムのウインドウ５０がモニタ１１上に表示される。ウインドウ５０は、２つの表示エリア５０ａ，５０ｂに分割されている。一方の表示エリア５０ａには、ＰＣ１０に内蔵されたハードディスク２３に対応する内蔵ドライブのアイコン５１がドライブ名（ｃ）やボリューム名（内蔵ドライブ）とともに表示される。
【００３３】
また、デジタルカメラ１４をＰＣ１０に接続している場合では、表示エリア５０ａには、第１，第２記憶装置１７，１８の仮想ドライブＶＤのアイコン５２がドライブ名やボリューム名とともにに表示される。なお、図５では、仮想ドライブのボリューム名が「仮想ドライブ」とされ、ドライブ名としては仮想ドライブを構成する各記憶装置１７，１８に対応した外部ドライブの各ドライブ名（Ｅ，Ｆ）が表示されている。
【００３４】
他方の表示エリア５０ｂには、表示エリア５１ａで選択されているアイコンに対応するドライブに記録されている内容がアイコン表示される。表示エリア５０ａで仮想ドライブＶＤのアイコン５２を選択した場合には、第１記憶装置１７及び第２記憶装置１８のそれぞれに記録されているファイル，フォルダ（ディレクトリ）が表示エリア５０ｂにアイコン表示される。
【００３５】
例えば、第１記憶装置１７にファイル名「ＡＢＣＤ０００１」〜「ＡＢＣＤ０００４」の画像ファイルが記録され、第２記憶装置１８にファイル名「ＥＦＧＨ０００１」〜「ＥＦＧＨ０００４」の画像ファイルが記録されている場合には、ファイル名「ＡＢＣＤ０００１」〜「ＡＢＣＤ０００４」の画像ファイルに対応するアイコン５３ａ〜５３ｄと、ファイル名「ＥＦＧＨ０００１」〜「ＥＦＧＨ０００４」の画像ファイルに対応するアイコン５４ａ〜５４ｄとが一緒に表示される。なお、図示を省略しているが、画像ファイルに対応するアイコンとしては、それが対応する画像ファイルの内容を縮小したサムネイル画像が用いられることにより、アイコンで画像ファイルの内容を知ることができる。
【００３６】
ファイル操作は、キーボード１２、マウス１３を操作して、表示エリア５０ｂに操作対象とすべき画像ファイルのアイコンを表示させた状態にし、その操作対象とすべき画像ファイルを選択した後に、実行すべきファイル操作、すなわち画像ファイルのコピー，移動，削除，ファイル名変更等の指示を行う。このような操作は、一般的に知られているグラフィカルユーザインタフェースでの操作と同様になっている。
【００３７】
次に上記構成の作用について図６を参照しながら説明する。ＯＳプログラムが起動された状態で、デジタルカメラ１４をケーブル１５を介してＰＣ１０に接続すると、これがＣＰＵ２０により検知される。デジタルカメラ１４が接続されたことが検知されると、デジタルカメラ１４の構成が調べられ、ＯＳプログラムにより第１記憶装置１７，第２記憶装置１８が外部ドライブＤ１，Ｄ２として認識され、利用可能な状態すなわちマウントされた状態となる。
【００３８】
デジタルカメラ１４の接続後、画像管理用プログラムを起動すると、マウントされている外部ドライブの属する外部機器が調べられ、同一の外部機器に設けられているか否かが判断される。デジタルカメラ１４は、第１，第２記憶装置１７，１８を搭載し、それぞれが外部ドライブＤ１，Ｄ２として認識されているから、画像管理プログラムは、これらの各記憶装置１７，１８からなる仮想ドライブＶＤとして認識し、この仮想ドライブＶＤがモニタ１１に表示されるようにする。
【００３９】
そして、画像管理用プログラムの起動によりモニタ１１に表示されたウインドウ５０内の表示エリア５０ａには、図５に示されるように、ハードディスク２３に対応するアイコン５１とともに、仮想ドライブＶＤに対応するアイコン５２が表示される。なお、接続された同一の外部機器の１個の記憶装置が外部ドライブとしてマウントされている場合には、これがそのまま外部ドライブとして表示される。
【００４０】
仮想ドライブＶＤの内容の表示を指示するには、キーボード１２，マウス１３を操作して、アイコン５２を選択する。すると、仮想ドライブＶＤの内容の表示の指示は、制御プログラムにより外部ドライブＤ１，Ｄ２のそれぞれ内容の表示の指示に変換されて、ＯＳプログラムに送られ、これに応答してＯＳプログラムが第１，第２記憶装置１７，１８の内容の表示の指示としてデジタルカメラ１４に送る。
【００４１】
これにより、第１，第２記憶装置１７，１８のそれぞれから内容を表示するためにデータが読み出され、ＰＣ１０に送られる。ＰＣ１０に送られたデータは、ＯＳプログラムを介して画像管理プログラムに与えられ、仮想ドライブＶＤのデータとされ、このデータに基づいて、表示エリア５０ｂにアイコンが表示される。したがって、表示エリア５０ｂには、第１記憶装置１７及び第２記憶装置１８の画像ファイルが仮想ドライブＶＤの内容としてアイコン表示される。
【００４２】
第１記憶装置１７及び第２記憶装置１８の画像ファイルに対して画像ファイルの削除，移動，コピー，ファイル名の変更などのファイル操作を行う場合には、上記のようにして、仮想ドライブＶＤの内容、すなわち第１記憶装置１７及び第２記憶装置１８の画像ファイルを表示エリア５０ｂに表示させた状態にしてから、キーボード１２、あるいはマウス１３を操作対象とする画像ファイルのアイコンを選択し、所望とするファイル操作の指示を与える。
【００４３】
例えば、画像ファイルを削除する指示を行う場合には、削除対象となる画像ファイルを選択してから、削除の指示を与える。ここで削除対象として第２記憶装置１８（外部ドライブＤ２）の画像ファイルが選択された場合には、削除の指示は、画像管理プログラムによって外部ドライブＤ２に対しての指示に変換され、さらにＯＳプログラムによってデジタルカメラ１４の第２記憶装置１７に対する指示に変換されることにより、第２記憶装置１７から選択された画像ファイルが削除される。
【００４４】
また、画像ファイルの内容（画像）の表示を行う場合には、表示対象となる画像ファイルを選択してから、表示の指示を与える。この指示は、画像管理プログラム，ＯＳプログラムによって表示対象が記録されている第１記憶装置１７、または第２記憶装置１８に対しての指示に変換されされる。これにより、その表示対象の画像ファイルが第１記憶装置１７、または第２記憶装置１８から読み出されてＰＣ１０に送られ、モニタ１１に表示される。なお、画像ファイルの移動，コピー、ファイル名変更の場合にも、同様に、その指示はデジタルカメラ１４の第１記憶装置１７，第２記憶装置１８の指示に変換され、それが実行される。
【００４５】
このように、各記憶装置１７，１８は１個の仮想ドライブＶＤとして表示されるため、操作者は記憶装置１７，１８の内容が同じウインドウ内に表示されるので、第１記憶装置，第２記憶装置に記録されている各画像ファイルを同一のウインドウで確認することができるとともに、それらのファイル操作を簡単に行うことができる。
【００４６】
図７，図８は、分割表示モードを設けた例を示すものである。この例では、操作部２４を操作して、分割表示モードを選択すると、図８に示される手順のように、分割表示モードに設定される。分割表示モードに設定されると、ウインドウ５０の２つのうち、表示エリア５０ｂが仮想ドライブＶＤを構成する記憶装置毎の小エリアに分割され、各小エリアには、対応する外部ドライブ（外部機器の記憶装置）の画像ファイルがアイコンで表示される。
【００４７】
図７に示す例では、ＯＳプログラムによって外部ドライブＤ１（ドライブ名Ｅ）として認識されている第１記憶装置１７と、外部ドライブＤ２（ドライブ名Ｆ）として認識されている第２記憶装置１８とから仮想ドライブＶＤが構成されるため、表示エリア５０ｂが２個の小エリア６１ａ，６１ｂに分割される。そして、小エリア６１ａには第１記憶装置１７に記録されている画像ファイルのアイコン５３ａ〜５３ｄが、小エリア６１ｂには第２記憶装置１８に記録されているファイルのアイコン５４ａ〜５４ｄがそれぞれ表示されている。
【００４８】
各小エリア６１ａ，６１ｂ間で、いわゆるカットアンドペースト、コピーアンドペースト，ドラッグアンドドロップ等の操作手法で画像ファイルの移動，コピーを行うことにより、その操作の指示は、第１記憶装置１７と第２記憶装置１８との指示に変換されて、第１記憶装置１７と第２記憶装置１８との間での画像ファイルの移動、コピーが行われる。例えば、ウインドウ５０上において小エリア６１ａ内のアイコン５３ａを小エリア６１ｂ内に移動操作し、ファイル操作として移動を指示すると、アイコン５３ａに対応する画像ファイルが第１記憶装置１７から読み出され、その画像ファイルが第２記憶装置１８に書き込まれた後に、第１記憶装置１７から該画像ファイルが削除される。
【００４９】
上記のように同一の外部機器に内蔵された記憶装置毎にウインドウを分割して表示するようにしたから、複数のウインドウを開くことなく、同一の外部機器に内蔵された各記憶装置間でのファイルのコピー、移動を行うことができる。なお、ファイル以外にもフォルダに対しての操作をも同様に行うことができる。
【００５０】
上記各実施形態では、デジタルカメラをパーソナルコンピュータに接続する場合について説明したが、外部機器としては前述のようにデジタルカメラに限るものではなく、カードリーダ等であってもよく、パーソナルコンピュータの代わりに、ファイル表示を行うプリンタ等に外部機器を接続する場合であってもよい。また、外部機器に限らず、機器に内蔵した複数の記憶装置をその機器自体の単一の仮想ドライブをとしてもよく、例えばデジタルカメラが複数の記憶装置を内蔵している場合に、それらを単一の仮想ドライブとして、そのデジタルカメラの表示装置に表示するようにしてもよい。
【図面の簡単な説明】
【００５１】
【図１】本発明を実施したパーソナルコンピュータとデジタルカメラとを接続した状態を示す説明図である。
【図２】パーソナルコンピュータとデジタルカメラの電気的な構成を示すブロック図である。
【図３】パーソナルコンピュータの機能ブロック図である。
【図４】記憶装置の認識の状態を示す説明図である。
【図５】仮想ドライブの内容の表示状態を示す説明図である。
【図６】画像管理プログラムの処理の流れを示すフローチャートである。
【図７】記憶装置毎に分割して表示する例における仮想ドライブの内容の表示状態を示す説明図である。
【図８】記憶装置毎に分割して表示する例における画像管理プログラムの処理の流れを示すフローチャートである。
【符号の説明】
【００５２】
１０  パーソナルコンピュータ
１４  デジタルカメラ
１７, １８記憶装置
２０  ＣＰＵ
４１  判断手段
４２  変換手段判断
４３  ユーザインタフェース手段４３
ＶＤ  仮想ドライブ
【図１】
2005346496.tif 000003
【図２】
2005346496.tif 000004
【図３】
2005346496.tif 000005
【図４】
2005346496.tif 000006
【図５】
2005346496.tif 000007
【図６】
2005346496.tif 000008
【図７】
2005346496.tif 000009
【図８】
2005346496.tif 000010